(57)【要約】【課題】液体の注入口と注ぎ口を共有し、口部が容器の外径より小さい容器の口部より液体が前後に揺れながら流れるのを防止することができ、スムーズに注ぐことができる。【解決手段】中栓２０は、ペットボトル１０の口部１１に着脱自在に装着される装着部２１と、この装着部２１に固定され、一端が口部１１の口元に位置し他端がペットボトル１０の広がり部１２の内面に伸びるパイプ２５とからなっている。【選択図】      図２
2006069656.tif 000002
【特許請求の範囲】
【請求項１】
容器内部に液体を注入する注入口と容器より液体を注ぐ注ぎ口が共用の口部を有する容器において、容器の口部に着脱自在に装着される装着部と、この装着部に固定され、一端が口部の口元に位置し他端が容器の内面側に折り曲げられて伸びるパイプとからなることを特徴とする容器用中栓。
【請求項２】
前記装着部には、前記口部より外側に突出するつまみ部が設けられていることを特徴とする請求項１記載の容器用中栓。
【請求項３】
前記つまみ部は、前記パイプ固定側に設けられていることを特徴とする請求項２記載の容器用中栓。
【請求項４】
容器内部に液体を注入する注入口と容器より液体を注ぐ注ぎ口が共用の口部を有する容器において、容器の口部から該容器の内周側に折り曲げられて伸びるパイプを設けるか、又は容器の内周側に沿ってエア抜き仕切り壁で仕切られたエア抜き穴が形成されていることを特徴とする容器。
【発明の詳細な説明】
【技術分野】
【０００１】
本発明は、容器内部に液体を注入する注入口と容器より液体を注ぐ注ぎ口が共用の口部を有し、口部が容器の外径より小さい容器用中栓及び前記容器に関する。
【背景技術】
【０００２】
液体の注入口と注ぎ口（注出口）を共有し、口部が容器の外径より小さい容器には、ペットボトル等のプラスチック容器、お酒を入れたビン、醤油を入れた１８リットル缶、石油缶、ポリタンク、アルミ缶等のように色々な容器がある。以下、一例として現在多く使用されているペットボトルを例にあげて説明する。図５に示すように、ペットボトル１０は、液体を流出させる口部１１と、この口部１１より外側に広がった広がり部１２と、この広がり部１２より下方に伸びた胴部１３と、この胴部１３の下端部の底部１４とからなっている。前記口部１１の外周にはねじ部１５が形成されており、ねじ部１５には図示しないキャップが螺合されている。このようなペットボトル１０から液体をコップ等に注ぐ場合、ペットボトル１０の口部１１よりペットボトル１０内に空気が流れにくいため、口部１１より液体が前後に揺れながら流れ出し、スムーズに注ぐことができなかった。この現象は、ペットボトル１０の容量が大きくなればなるほど著しい。
【０００３】
前記したような問題点を解決したものとして、例えば特許文献１及び２が挙げられる。特許文献１は、ペットボトル等のプラスチック容器の口部を蜂の巣のように細かく縦長に仕切っている。特許文献２は、口部の部分を傾斜させるか、又は口部を折り曲げ可能に口部の部分に蛇腹が形成されている。
【特許文献１】実用新案登録第３０３８５９２号公報
【特許文献２】実用新案登録第３０５６８６０号公報
【発明の開示】
【発明が解決しようとする課題】
【０００４】
特許文献１は、単にペットボトルの口部を複数個に区切ったに過ぎなく、口部よりペットボトル内に空気が流れにくく、やはり口部より液体が前後に揺れて流れ出すのは避けられない。
【０００５】
特許文献２は、口部を傾斜又は傾斜させることができるので、コップ等に容易に効率的に注ぐことができる。しかし、この構造でも、口部よりペットボトル内に空気が流れにくく、やはり特許文献１と同様に、口部より液体が前後に揺れて流れ出すのは避けられない。
【０００６】
本発明の課題は、液体の注入口と注ぎ口を共有し、口部が容器の外径より小さい容器の口部より液体が前後に揺れながら流れるのを防止することができ、スムーズに注ぐことができる容器用中栓及び容器を提供することにある。
【課題を解決するための手段】
【０００７】
上記課題を解決するための本発明の請求項１は、容器内部に液体を注入する注入口と容器より液体を注ぐ注ぎ口が共用の口部を有する容器において、容器の口部に着脱自在に装着される装着部と、この装着部に固定され、一端が口部の口元に位置し他端が容器の内面側に折り曲げられて伸びるパイプとから容器用中栓はなっていることを特徴とする。
【０００８】
上記課題を解決するための本発明の請求項２は、請求項１において、前記装着部には、前記口部より外側に突出するつまみ部が設けられていることを特徴とする。
【０００９】
上記課題を解決するための本発明の請求項３は、請求項２において、前記つまみ部は、前記パイプ固定側に設けられていることを特徴とする。
【００１０】
上記課題を解決するための本発明の請求項４は、容器内部に液体を注入する注入口と容器より液体を注ぐ注ぎ口が共用の口部を有する容器において、容器の口部から該容器の内周側に折り曲げられて伸びるパイプを設けるか、又は容器の内周側に沿ってエア抜き仕切り壁で仕切られたエア抜き穴が形成されていることを特徴とする。
【発明の効果】
【００１１】
請求項１の場合は、パイプの他端が容器の内面側に折り曲げられているので、中栓の装着部を容器の口部の内面に装着すると、パイプは、の他端が容器の内面側に伸びる。請求項４の場合は、容器の口部から該容器の内周側に折り曲げられて伸びるパイプを設けるか、又は容器の内周側に沿ってエア抜き仕切り壁で仕切られたエア抜き穴が形成されている。そこで、ペットボトルの液体を注ぐために、パイプ側又はエア抜き穴を上にして容器を傾けると、パイプの又はエア抜き穴の他端がすぐに上を向くことになり、口部側に溜まっていた空気が広がり部に移動する。これにより、パイプ又はエア抜き穴を通して外気と容器内の空気とが連通し、口部より液体が流れ出す時に外部の空気がパイプ又はエア抜き穴を通して容器内に流れる。このように、パイプ又はエア抜き穴を通して空気の流れが生じ、口部より流れる液体は前後に揺れることがなくスムーズに流れるようになる。
【発明を実施するための最良の形態】
【００１２】
本発明のプラスチック容器用中栓の一実施の形態を図１及び図２により説明する。図２及び図５に示すペットボトル１０の口部１１の内面には、図１に示す中栓２０が着脱自在に装着される。中栓２０は、口部１１の内面に挿入される装着部２１を有し、この装着部２１の上面には口部１１の端面に当接するつば部２２が形成されている。つば部２２の上面にはつまみ部２３が上方に伸びて形成されている。装着部２１内にはパイプ支持部２４が形成され、このパイプ支持部２４にはパイプ２５が固定されている。パイプ２５は、一端が口部１１の口元部に位置し、他端がペットボトル１０の広がり部１２の内面方向に折り曲げられている。このような構成よりなる中栓２０は、樹脂材によって一体成形されている。
【００１３】
次に作用について説明する。図２に示すように、中栓２０の装着部２１をペットボトル１０の口部１１の内面に装着すると、中栓２０のパイプ２５の先端部２６は、ペットボトル１０の広がり部１２の内面に位置する。そこで、ペットボトル１０内の液体を注ぐ場合には、パイプ２５側を上にして口部１１を傾けると、先端部２６がすぐに上を向くことになり、口部１１側に溜まっていた空気が広がり部１２に移動する。これにより、パイプ２５を通して外気とペットボトル１０内の空気とが連通し、口部１１より液体が流れ出す時に外部の空気がパイプ２５を通してペットボトル１０内に流れる。
【００１４】
このように、パイプ２５はペットボトル１０の内面側に折り曲げられているので、パイプ２５側を上にした際には、パイプ２５の先端部２６はパイプ２５の口部１１側より既に上方にある。このため、パイプ２５の先端部２６に既に空気が存在する場合には、パイプ２５を通して外気とペットボトル１０内の空気とが連通している。またパイプ２５の先端部２６に予め空気が無い場合にも、口部１１側に溜まった空気が上昇してパイプ２５の先端部２６に即座に移動することにより、パイプ２５を通して外気とペットボトル１０内の空気とが連通する。これにより、パイプ２５を通して空気の流れが生じ、口部１１より流れる液体は前後に揺れることがなくスムーズに流れるようになる。
【００１５】
なお、つまみ部２３は設けなくてもよいが、このつまみ部２３を設けると次のような利点がある。つまみ部２３を引き上げることにより、中栓２０をペットボトル１０から容易に外すことができる。またつまみ部２３をパイプ２５の取付け側に設けることにより、ペットボトル１０より液体を注ぐ場合につまみ部２３がペットボトル１０を上側にする目印となる。またつまみ部２３が無い場合には、中栓２０をペットボトル１０に取付けたままでもキャップをねじ部１５に締め付ける場合に何ら支障とならないことは勿論である。しかし、つまみ部２３がある場合でも、該つまみ部２３が柔軟で弾力性がある材料で形成することにより、キャップをねじ部１５に締め付けた場合、つまみ部２３は内側に倒れるので、キャップを閉めることができる。
【００１６】
またパイプ２５の先端部２６は、ペットボトル１０の広がり部１２の内面に位置するように形成したが、胴部１３の内面まで伸びていても良く、また図５に示す胴部１３と底部１４との境部まで伸びていても良い。
【００１７】
図３は本発明のペットボトルの一実施の形態を示す。前記実施の形態は、ペットボトル１０に中栓２０を着脱自在に設けてなる。本実施の形態は、中栓２０と同じ機能をペットボトル１０自体に設けたものである。口部１１の内周部には、口部１１の口元からペットボトル１０の広がり部１２に沿ってエア抜き穴３０を形成するようにエア抜き仕切り壁３１がペットボトル１０と一体的に設けられている。
【００１８】
従って、本実施の形態においても、ペットボトル１０内の液体を注ぐ場合には、エア抜き穴３０側を上にして口部１１を傾けると、エア抜き穴３０の先端部３２がすぐに上を向くことになり、口部１１側に溜まっていた空気が広がり部１２に移動する。これにより、エア抜き穴３０を通して外気とペットボトル１０内の空気とが連通し、口部１１より液体が流れ出す時に外部の空気がエア抜き穴３０を通してペットボトル１０内に流れる。このように、エア抜き穴３０を通して空気の流れが生じ、口部１１より流れる液体は前後に揺れることがなくスムーズに流れるようになる。
【００１９】
図４は本発明のペットボトルの他の実施の形態を示す。前記実施の形態は、エア抜き穴３０を口部１１の内面に形成したが、本実施の形態は、エア抜き穴３０が口部１１の外周部に形成されている。ところで、ねじ部１５の外径はペットボトル１０の大小に係わらず一定に規定されているので、本実施の形態は口部１１の注ぎ口径が若干小さくなるのは避けられない。このように形成しても、前記実施の形態と同様の効果が得られることは言うまでもない。
【００２０】
なお、上記実施の形態においては、ペットボトルに適用した場合について説明したが、本発明は 
液体の注入口と注ぎ口を共有し、口部が容器の外径より小さい容器、例えばペットボトル等のプラスチック容器以外のお酒を入れたビン、醤油を入れた１８リットル缶、石油缶、ポリタンク、アルミ缶等にも適用できる。例えば石油缶、アルミ缶は、上面がほぼ平面となっている。そこで、これらの容器の場合には、容器の口部から該容器の内周側に折り曲げられて伸びる金属よりなるパイプを口部に溶接して設けるか、又は容器の内周側に沿ってエア抜き仕切り壁で仕切られたエア抜き穴を形成するようにする。
【図面の簡単な説明】
【００２１】
【図１】本発明の容器用中栓の一実施の形態を示し、（ａ）は正面図、（ｂ）は平面図である。
【図２】図１の容器用中栓を装着したペットボトルの要部断面図である。
【図３】本発明の容器の一実施の形態の要部を示し、（ａ）は断面図、（ｂ）は平面図である。
【図４】本発明の容器の他の実施の形態の要部を示し、（ａ）は断面図、（ｂ）は平面図である。
【図５】ペットボトルの正面図である。
【符号の説明】
【００２２】
１０    ペットボトル
１１    口部
１２    広がり部
１３    胴部
１５    ねじ部
２０    中栓
２１    装着部
２２    つば部
２３    つまみ部
２４    パイプ支持部
２５    パイプ
３０    エア抜き穴
３１    エア抜き仕切り壁
【図１】
2006069656.tif 000003
【図２】
2006069656.tif 000004
【図３】
2006069656.tif 000005
【図４】
2006069656.tif 000006
【図５】
2006069656.tif 000007